(57)【特許請求の範囲】
【請求項１】
櫛歯が列設したブラシ部と染毛剤を収容する容器からなる染毛剤塗布用ブラシであって、櫛歯が、内部に染毛剤の導液路を有し、隣接する櫛歯との対向面に染毛剤の吐出口を有し、櫛歯の両側辺と先端部との間に肩部を有する板状形状をなし、その一方の肩部の斜辺が他方の肩部の斜辺よりも長く形成されている染毛剤塗布用ブラシ。
【請求項２】
長く形成された肩部の斜辺の延長線と、短く形成された肩部側の側辺の延長線とで挟まれる角度が３０〜７０°である請求項１記載の染毛剤塗布用ブラシ。
【請求項３】
吐出口が、櫛歯の両側面内で高さ方向と幅方向の異なる位置に複数形成されている請求項１又は２記載の染毛剤塗布用ブラシ。
【請求項４】
長く形成された肩部の斜辺に平行に、複数の吐出口が配設されている請求項３記載の染毛剤塗布用ブラシ。
【発明の詳細な説明】
【０００１】
【発明の属する技術分野】
本発明は、染毛剤を髪の根元も含めて髪全体に塗布するために好適な染毛剤塗布用ブラシに関する。
【０００２】
【従来の技術】
図５に示すように、染毛剤塗布用ブラシ１として、染毛剤を収容する容器２に、櫛歯３を列設させたブラシ部４を連結部５を介して装着したものが知られている。この櫛歯３は、先端部６が先細りになった扁平な板状形状をしており、その内部には、容器２の内部と連通する導液路７が形成されている。また、櫛歯３の側面（隣接する櫛歯との対向面）には、染毛剤の吐出口９が形成されている。
【０００３】
この染毛剤塗布用ブラシ１によれば、容器２を押圧することにより櫛歯３の吐出口９から染毛剤を吐出させ、染毛剤を髪に塗布しつつ、先端部６で髪を梳くことができるので、染毛剤の収容容器とブラシが別体となっている場合に比して、容易に染毛剤を髪に塗布することができる。
【０００４】
【発明が解決しようとする課題】
しかしながら、従来の染毛剤塗布用ブラシ１では、髪の根元へ染毛剤を供給し易くするために図６（ａ）のように吐出口９の位置を櫛歯３の先端側に寄せると、隣り合う櫛歯３間で、吐出口９から吐出された染毛剤Ａの保持量が減る。そのため、染毛に要する仕事量（コーミング数）が増えるという不具合が生じる。
【０００５】
一方、同図（ｂ）のように吐出口９を櫛歯基面８側に寄せると、櫛歯３間での染毛剤Ａの保持量は増えるが、櫛歯３間で保持される染毛剤Ａと櫛歯３の先端部６との距離が大きくなるので、髪の根元の着剤が難しくなる。
【０００６】
このように、従来の染毛剤塗布用ブラシでは、髪の根元への着剤のし易さと染毛に要する仕事量の低減とを同時に向上させることができない。
【０００７】
さらに、従来の染毛剤塗布用ブラシ１では、ブラシ１の頭皮に対する挿入角度がばらつき易いために髪の根元の着剤効果もばらつき、これによっても根元の着剤を確実に行うことが難しくなっている。
【０００８】
これに対し、本発明は、簡単な操作で髪の根元や髪全体を染めることができる染毛剤塗布用ブラシを提供することを目的とする。
【０００９】
【課題を解決するための手段】
本発明者は、染毛剤の吐出口を有する櫛歯を列設させた染毛剤塗布用ブラシにおいて、櫛歯の外形形状を、先端部両側の肩部の長さを異ならせた左右非対称とすると、長く形成されている肩部の斜辺に沿わせてブラシが頭皮に当てられるので、ブラシの頭皮に対する挿入角度が定まりやすくなり、また、櫛歯間での染毛剤の保持量が増加するので、髪の根元の着剤も容易となり、したがって、染毛に要する仕事量を増加させることなく、櫛通り感も損なうことなく、染毛剤を髪の根元を含めて髪全体へ効率よく塗布できることを見出した。
【００１０】
即ち、本発明は、櫛歯が列設したブラシ部と染毛剤を収容する容器からなる染毛剤塗布用ブラシであって、櫛歯が、内部に染毛剤の導液路を有し、隣接する櫛歯との対向面に染毛剤の吐出口を有し、先端部の両側に肩部を有する板状形状をなし、その一方の肩部の斜辺が他方の肩部の斜辺よりも長く形成されている染毛剤塗布用ブラシを提供する。
【００１１】
【発明の実施の形態】
以下、図面を参照しつつ本発明を詳細に説明する。なお、各図中、同一符号は同一または同等の構成要素を表している。
【００１２】
図１は、本発明の一実施例の染毛剤塗布用ブラシ１Ａの斜視図（ａ）、ブラシ部のｘ−ｘ断面図（ｂ）、ｙ−ｙ断面図（ｃ）である。また、図２は、ブラシ部の拡大図である。
【００１３】
この染毛剤塗布用ブラシ１Ａは、染毛剤を収容する容器２、櫛歯３を列設させたブラシ部４、容器２とブラシ部４とを連結する連結部５からなっている。
【００１４】
容器２は、押圧により染毛剤を押し出すことのできる可撓性材料からなっている。このような可撓性材料としては、例えば、特開２０００−１６４７０号に開示されているような可撓性外側層と、その外側層に剥離自在に積層された内側層からなるものを使用し、容器の押圧後に空気を外側層と内側層との間に導入し、外側層を押圧前の形状に復元させつつ内側層を剥離させて収縮変形させるものが好ましい。これにより、ディップチューブが不要となり、また、容器２を正立させても倒立させても使用することが可能となる。
【００１５】
個々の櫛歯３は、その外形が、先端部６が先細りで、幅ａが厚みｂよりも大きい扁平な板状形状をなしている。ここで、幅ａと厚みｂは、櫛通り性を損なわず、櫛歯上に染毛剤を適量保持できるようにする点から、幅ａを１０〜２０ｍｍとし、厚みｂを１〜４ｍｍとすることが好ましい。また、先端部６については、幅ｃが５ｍｍ以下の部分Ｌ4の長さを少なくとも１ｍｍ以上とすることが、櫛通り感を向上させ、頭皮への染毛剤の付着を低減させる点で好ましい。
【００１６】
櫛歯の両側辺１０ａ、１０ｂと先端部６との間は肩部１１ａ、１１ｂとなっている。この染毛剤塗布用ブラシ１Ａでは、肩部１１ａ、１１ｂの長さが互いに異なり、櫛歯の外形が左右非対称となっている点が特徴的となっている。両方の肩部１１ａ、１１ｂの斜辺１２ａ、１２ｂのなす角度θ1 は、目標として定めたはえぎわに挿入しやすくする点から、５０〜７５°とすることが好ましく、６０〜７０°とすることがより好ましい（図２（ａ））。また、長く形成された肩部１１ｂの斜辺１２ｂの延長線と、短く形成された肩部１１ａ側の側辺１０ａの延長線とで挟まれる角度θ2 は、容器２をもって染毛作業をするときに、肩部１１ｂを頭皮に沿わせてコーミングできるように、３０〜７０°とすることが好ましく、３５〜５０°とすることがより好ましい。
【００１７】
このように先端部６の両側の肩部１１ａ、１１ｂを非対称に形成することにより、染毛時には、自ずと図３（ａ）に示すように、長く形成されている肩部１１ｂを頭皮Ｘに沿わせてブラシ１Ａが使用されるようになり、櫛歯３の頭皮Ｘに対する挿入角度が定まる。また、これにより櫛歯３間に保持された染毛剤Ａを、専ら髪の根元に近傍に供給することができる。さらに、染毛剤Ａの保持領域と頭皮Ｘとの距離は、櫛歯３を頭皮に垂直に当てた場合にはほぼ先端部６の長さＬ4 となるが、図３（ａ）のように櫛歯３を頭皮Ｘに当てることにより、この距離Ｌ5 が短くなる。したがって、染毛を自ら行う場合でも、他人に施術してもらう場合でも、ブラシ１Ａの頭皮に対する挿入角度が安定し、十分な量の染毛剤Ａを髪の根元に供給することができ、髪の根元の着剤を均一に行うことが可能となり、特に、フェースラインを美しく染毛することが可能となる。
【００１８】
一方、図３（ｂ）に示すように、短く形成されている肩部１１ａを頭皮Ｘに沿わせるように使用すると、櫛歯３間で保持されている染毛剤Ａで、髪の根元近傍だけでなく、髪の毛先側も同時に染毛することができる。
【００１９】
櫛歯３の隣接する櫛歯との対向面には、短く形成された肩部１１ａ側（先端部６側）に吐出口９ａが形成され、長く形成された肩部１１ｂ側（櫛歯基面８側）に吐出口９ｂが形成されている。２つの吐出口９ａ、９ｂの形成位置は、それぞれの吐出口９ａ、９ｂから吐出された染毛剤が図２（ａ）に示すように同心円状に広がった場合に、それらが干渉し合うようにすることが好ましい。これにより、それぞれの吐出口９ａ、９ｂから吐出された染毛剤が櫛歯上で広がる際に、互いに反発しあい、干渉部位と反対方向へより広い範囲に広がり、櫛歯３間で保持できる染毛剤の量を増加させることができるので好ましい。これに対して２つの吐出口９ａ、９ｂから吐出された染毛剤が互いに離れ、干渉しない場合には、２つの吐出口９ａ、９ｂ間に染毛剤の存在しない部位ができるため好ましくない。
【００２０】
また、２つの吐出口９ａ、９ｂの形成位置としては、吐出口９ａの中心の櫛歯基面８からの距離Ｌ1を、吐出口９ｂの中心の櫛歯基面８からの距離Ｌ2 よりも長くし、特に、２つの吐出口９ａ、９ｂを、長く形成された肩部１１ｂの斜辺１２ｂに平行に配置することが好ましく、さらに、先端部６側の吐出口９ａの形成位置は、櫛歯先端からの距離Ｌ3 を１０ｍｍ以下とすることが好ましい。このように２つの吐出口９ａ、９ｂを、長く形成された肩部１１ｂの斜辺１２ｂに平行に配置することにより、櫛歯３間の染毛剤の保持量を増加させ、染毛に要する仕事量を軽減させることができ、また、上述した、肩部１１ａ、１１ｂを非対称に形成することによる効果と相まって、髪の根元に染毛剤を集中的に供給することが容易となり、髪の根元を十分に染毛することが可能となる。
【００２１】
２つの吐出口９ａ、９ｂの開口面積は、先端部６寄りの吐出口９ａの開口面積を櫛歯基面８よりの吐出口９ｂの開口面積よりも大きくすることが好ましい。これにより、髪の根元への塗布量を多くして、根元の染まりを美しくすることができる。
【００２２】
特に、２つの吐出口９ａ、９ｂへの導液路７ａ、７ｂの断面の内接円の面積の比を、吐出口９ａから吐出される染毛剤の量Ｑ1 が、吐出口９ｂから吐出される染毛剤の量Ｑ2 に対して、１×Ｑ2 ≦Ｑ1 ≦２×Ｑ2  となるように設定することが好ましく、そのために、吐出口９ａの導液路断面の内接円の面積Ｓ1 と吐出口９ｂの導液路断面の内接円の面積Ｓ2 とが、１×Ｓ2 ≦Ｓ1 ≦３×Ｓ2  を満たすようにすることが好ましい。
【００２３】
以上のような吐出口９ａ、９ｂへの導液路断面の内接円の面積Ｓ1 、Ｓ2 や櫛歯基面８からの距離Ｌ1 、Ｌ2 の最適な値は、当該染毛剤の液性等により異なるが、例えば、Ｂ型粘度計（(株)東京計器、MODEL ASB100、No.4ローター、30rpm、測定温度25℃）で測定した場合の染毛剤の粘度が３Ｐａ・ｓ〜２０Ｐａ・ｓであるとき、先端部側の吐出口９ａの櫛歯基面からの距離Ｌ1を１４〜２０ｍｍ、その吐出口９ａへの導液路断面の内接円の面積Ｓ1をが０．７５〜１．８ｍｍ2、櫛歯基面側の吐出口９ｂの櫛歯基面からの距離Ｌ2を８〜１２ｍｍ、その吐出口９ｂへの導液路断面の内接円の面積Ｓ2を０．５〜１．２ｍｍ2とすることが好ましい。
【００２４】
２つの吐出口９ａ、９ｂは、ブラシ部４の両端の櫛歯３を除く全ての櫛歯３の両側面に形成することが好ましい。
【００２５】
一方、連結部５は、その内部に染毛剤の導液路が形成されており、櫛歯３の内部に形成されている導液路７ａ、７ｂと容器２の内部とを連通させている。連結部５は、容器２と一体的に形成してもよいが、別部材としてもよい。また、連結部５とブラシ部４とは、両者を着脱自在とすることが部材の成形上好ましい。
【００２６】
本発明は、この他種々の態様をとることができる。例えば、図１の染毛剤塗布用ブラシ１Ａは、ブラシ部４を手前にし、容器２を奧側にし、櫛歯３の先端部６を上にして置いた場合に、向かって右側に長く形成された肩部１１ｂが位置し、左側に短く形成された肩部１１ａが位置しており、右利きの人が使用しやすい形状となっているが、長く形成された肩部１１ｂと短く形成された肩部１１ａの形成位置を左右逆にし、左利き用のブラシとしてもよい。  また、図１の染毛剤塗布用ブラシ１Ａでは吐出口９ａ、９ｂの開口形状とそれぞれへの導液路７ａ、７ｂの断面形状が円形であるが、開口形状はこれに限られず、矩形、三角形等でもよい。
【００２７】
各櫛歯内部には、図４に示すように単一の導液路７と単一の吐出口９を設けてもよく、また、３以上の導液路と吐出口を設けてもよい。この場合にも、複数の吐出口は、長く形成された肩部の斜辺に平行に配設することが好ましい。また、各櫛歯内部に複数の導液路を設ける場合に、各導液路から異なる種類あるいは色の剤が吐出されるようにしてもよい。これにより、微妙な風合いのカラーリングを楽しむことが可能となる。
【００２８】
吐出口９ａ、９ｂから吐出される染毛剤の量を全ての櫛歯３で等しくするために、櫛歯３内の導液路７ａ、７ｂの流路方向に垂直な断面の面積を、容器２から遠い櫛歯３程広くすることが好ましい。櫛歯３内の導液路７ａ、７ｂの断面積の変化に比して染毛剤の吐出量の変化は大きいため、この導液路７ａ、７ｂの断面積の調整により、設計の自由度を高く保持しつつ、染毛剤の吐出量を容易に制御することができる。この場合、導液路７ａ、７ｂの断面積は、櫛歯３が容器２から遠くなるにしたがって徐々に広げても良く、また、櫛歯３を所定のグループに分け、グルーブごとに広げても良い。この他、吐出口９ａ、９ｂから吐出される染毛剤の量を全ての櫛歯３で等しくするために、連結部５における導液路の断面積を容器２に遠いほど広げても良い。また、吐出口９ａ、９ｂの開口面積をそれぞれ容器２に遠い櫛歯３程広げても良い。
【００２９】
【発明の効果】
本発明の染毛剤塗布用ブラシによれば、簡単な操作で髪の根元や髪全体を染めることができ、良好な櫛通り感も得ることができる。
【図面の簡単な説明】
【図１】  本発明の染毛剤塗布用ブラシの斜視図（ａ）、ｘ−ｘ断面図（ｂ）、ｙ−ｙ断面図（ｃ）である。
【図２】  ブラシ部の拡大断面図である。
【図３】  本発明の染毛剤塗布用ブラシの作用の説明図である。
【図４】  本発明の他の態様のブラシ部の断面図である。
【図５】  従来の染毛剤塗布用ブラシの斜視図（ａ）、そのｘ−ｘ断面図（ｂ）、ｙ−ｙ部分断面図（ｃ）である。
【図６】  従来の染毛剤塗布用ブラシの櫛歯における、吐出口の位置と染毛剤の保持量との関係を示す説明図である。
【符号の説明】
１Ａ    染毛剤塗布用ブラシ
２    容器
３    櫛歯
４    ブラシ部
５    連結部
６    先端部
７、７ａ、７ｂ    導液路
８    櫛歯基面
９    吐出口
１０ａ、１０ｂ    側辺
１１ａ、１１ｂ    肩部
１２ａ、１２ｂ    斜辺
【図１】
0004517531.tif 000002
【図２】
0004517531.tif 000003
【図３】
0004517531.tif 000004
【図４】
0004517531.tif 000005
【図５】
0004517531.tif 000006
【図６】
0004517531.tif 000007